(57)【要約】【課題】従来のＰＯＳ端末は、購入した雑誌の次号発売日を報知できなかった。【解決手段】商品情報記億部は、定期刊行物を識別する商品識別情報とその定期刊行物の商品名と発売日を前記商品識別情報に対応付けて記憶し、定期刊行物に付されたバーコードを読み取り、前記バーコードに含まれる商品識別情報によって商品名及び発売日を、前記商品情報記億部から読み出す。レシート印字部は、読み出した商品名及び発売日を組みにして、レシートに印字する。【選択図】  図２
2012068768.tif 000002
【特許請求の範囲】
【請求項１】
定期刊行物を識別する商品識別情報とその定期刊行物の商品名と発売日を前記商品識別情報に対応付けて記憶する商品情報記億部と、
定期刊行物に付されたバーコードを読み取る読取部と、
前記バーコードに含まれる商品識別情報を取得する取得部と、
前記取得部で取得した商品識別情報に対応する商品名及び発売日を、前記商品情報記億部から読み出す読出部と、
前記読出部で読み出した商品名及び発売日を組みにして、レシートに印字する印字部と、を備えたことを特徴とする商品販売登録データ処理装置。
【請求項２】
前記印字部は、商品名の次行に発売日を印字することを特徴とする請求項１記載の商品販売登録データ処理装置。
【請求項３】
定期刊行物を識別する商品識別情報とその定期刊行物の商品名と発売日を前記商品識別情報に対応付けて記憶する商品情報記億部と、
税率を記憶する税率記億部と、
定期刊行物に付されたバーコードを読み取る読取部と、
前記バーコードに含まれる商品識別情報と価格情報を取得する取得部と、
前記取得部で取得した商品識別情報に対応する商品名及び発売日を、
前記記億部から読み出す読出部と、
前記取得部で取得した価格情報と前記税率記億部で記憶した税率から税込み価格を算出する算出部と、
前記読出部で読み出した商品名及び発売日と前記算出した税込み価格とを組みにして、レシートに印字する印字部と、
を備えたことを特徴とする商品販売登録データ処理装置。
【請求項４】
定期刊行物を識別する商品識別情報とその定期刊行物の商品名と単品価格と発売日を前記商品識別情報に対応付けて記憶する商品情報記億部と、
税率を記憶する税率記億部と、
定期刊行物に付されたバーコードを読み取る読取部と、
前記バーコードに含まれる商品識別情報を取得する取得部と、
前記取得部で取得した商品識別情報に対応する商品名と単品価格と発売日を、前記記億部から読み出す読出部と、
前記取得部で取得した単品価格と前記税率記億部で記憶した税率から税込み価格を算出する算出部と、
前記読み出し部で読み出した商品名と発売日と前記算出した税込み価格とを組みにして、レシートに印字する印字部と、
を備えたことを特徴とする商品販売登録データ処理装置。
【請求項５】
商品販売登録データ処理装置のコンピュータに、
定期刊行物を識別する商品識別情報とその定期刊行物の商品名と発売日を前記商品識別情報に対応付けて記憶する商品情報記億ステップと、
定期刊行物に付されたバーコードを読み取る読み取りステップと、
前記バーコードに含まれる商品識別情報を取得する取得ステップと、
前記取得部で取得した商品識別情報に対応する商品名及び発売日を、前記商品情報記億部から読み出す読出ステップと、
前記読み出し部で読み出した商品名及び発売日を組みにして、レシートに印字する印字ステップと、
を実行させることを特徴とするプログラム。
【請求項６】
前記印字ステップは、商品名の次行に発売日を印字することを特徴とする請求項５記載のプログラム。
【発明の詳細な説明】
【技術分野】
【０００１】
本発明は、電子式キャッシュレジスタやＰＯＳ（販売時点情報管理）端末等の商品販売登録データ処理装置に関する。
【背景技術】
【０００２】
従来、レシートを印字発行するＰＯＳ（販売時点情報管理）端末が広く知られている。
【先行技術文献】
【特許文献】
【０００３】
【特許文献１】特開２００５−１６５６２８公報
【発明の概要】
【発明が解決しようとする課題】
【０００４】
しかしながら、従来のＰＯＳ端末にあっては、購入した雑誌の次号発売日を報知することはできなかった。
【課題を解決するための手段】
【０００５】
実施の形態の商品販売登録データ処理装置は、商品情報記億部と、バーコード読み取り部と、商品情報識別部と、商品情報読み出し部と、レシート印字部と、を備える。商品情報記億部は、定期刊行物を識別する商品識別情報とその定期刊行物の商品名と発売日を前記商品識別情報に対応付けて記憶する。バーコード読み取り部は、定期刊行物に付されたバーコードを読み取る。商品情報識別部は、前記バーコードに含まれる商品識別情報を取得する。商品情報読み出し部は、前記取得部で取得した商品識別情報に対応する商品名及び発売日を、前記商品情報記億部から読み出す。レシート印字部は、前記読み出し部で読み出した商品名及び発売日を組みにして、レシートに印字する。
【図面の簡単な説明】
【０００６】
【図１】本発明の一実施形態のＰＯＳシステムの構成図
【図２】同ＰＯＳ端末の構成図
【図３】図２における商品ファイル構造の説明図
【図４】同ＰＯＳ端末が実行する定期刊行物コード処理動作を示すフロー図
【図５】同ＰＯＳ端末が実行する売上登録処理動作を示すフロー図
【図６】同ＰＯＳ端末が印字発行するレシートの一例を示す模式図
【発明を実施するための形態】
【０００７】
本発明の実施の一形態を図１ないし図６に基づいて説明する。ここで、図１はＰＯＳシステムを概略的に示すシステム構成図である。図１に示すように、ＰＯＳシステムは、商品販売データ処理装置である複数台のＰＯＳ端末１と、これらのＰＯＳ端末１をＬＡＮ等のネットワーク３によって接続して、各ＰＯＳ端末１から送信された売上げ登録データを集計する売上登録データ集計装置であるＰＯＳサーバ２とで構成されている。
【０００８】
図２はＰＯＳ端末１の要部構成を示すブロック図であって、制御部本体としてＣＰＵ４を搭載している。また、起動プログラム等を格納するＲＯＭ５、売上バッファやレシートバッファ等の各種バッファを構成して各種データを書き換え自在に格納するワークエリアとして機能するＲＡＭ６、ＣＰＵ４を動作させる制御プログラム等が記憶されたＨＤＤ７、時計回路８、通信コントローラ９、キーボードコントローラ１０、表示部コントローラ１１、プリンタコントローラ１２及びスキャナコントローラ１３等の各部を備えている。
【０００９】
通信コントローラ９は、ＰＯＳサーバ２間とのデータ通信を制御する。キーボードコントローラ１０は、置数キー、値引キー、割引キー等の各種キーを配設して入力部として機能するキーボード１４の操作キーに対応したキー信号を取込む。表示コントローラ１１は、販売登録された商品名や販売価格や合計金額等を表示出力するＬＣＤ等の表示部１５に対する画面表示を制御する。プリンタコントローラ１２は、ＰＯＳ端末１に内蔵されたプリンタ１６によるレシート印字を制御する。スキャナコントローラ１３は、バーコード等を光学的に読取るスキャナ１７の読取動作を制御する。
【００１０】
ＨＤＤ７には、ＰＯＳ制御部のＣＰＵを動作させる制御プログラムの他に、商品ファイル１８、売上ファイル１９、現行の消費税の税率２０ が設定される税率ファイル２０を記憶している。  
【００１１】
図３は商品ファイル１８のファイル構造を模式的に示す説明図である。商品ファイル１８は、各商品の商品コードに対応して、商品名、単価等が記憶される。商品が雑誌の場合、定期刊行物コードが付されている。定期刊行物コードは、１３桁のメインバーコードの右側に５桁のアドオンバーコードを付加した全１８桁のバーコードからなる。メインバーコード のうち、先頭の３桁は定期刊行物コード用フラグ、残りの１０桁は商品識別コードであり、その内訳は１桁目が予備コード（ 雑誌＝ ０ ）、２〜６桁目はアイテムコード、７、８桁目は月または号数、９桁目は年号、１０桁目はチェックデジットである。また、アドオンバーコードには税抜き本体価格が含まれている。商品ファイルには、雑誌の商品識別コードとなるアイテムコード毎に、その雑誌の商品名、次号発売日が商品データとして記憶される。発売日は、西暦日付で、例えば2010年10月1日は、20101001と記憶される。また、商品ファイルは、ＰＯＳサーバ２から、ＬＡＮ等のネットワーク３を介して、定期的にＰＯＳ端末１に配信される。
【００１２】
ＣＰＵ４は、スキャナ１７からバーコードが入力されると、図４のフロー図に示す定期刊行物コード処理を開始する。ＣＰＵ４は、ＳＴ（ステップ）１として入力されたバーコードの最初の３桁が定期刊行物コードを示すフラグであるかどうか判定する。ＣＰＵ４は、バーコードが定期刊行物コードと判定すると、ＳＴ２として、定期刊行物コードのメインバーコードから、商品識別コード を取得する。また、アドオンバーコードに含まれる本体価格を取得する。そして、ＳＴ３として前記商品識別コード のアイテムコードで商品ファイル１８を検索して、雑誌名を取得する。更に、発売日が格納されている場合には、発売日を読み出す。
【００１３】
次にＣＰＵ４は、ＳＴ４として取得した本体価格に税率ファイル２０に格納された税率より算出される税額を加算した税込価格を算出する 。また、この税込価格から本体価格を減じて内税額を算出する。次に、表示部コントローラ１１を制御して、ＳＴ５として商品名と税込価格とを表示部１５に表示する。また、税込価格と内税額をＲＡＭ６に構成される売上バッファに格納する。
【００１４】
次にＣＰＵ４は、ＳＴ６として、商品名と税込価格と発売日をＲＡＭ６に構成されるレシートバッファに格納する。税込価格は、内税を示す「内」の文字データともに格納する。発売日は、発売日を示す「次号」「発売」の文字データ、および西暦日付を示す「年」「月」「日」、当該発売日の曜日を示す「月、火、水、木、金、土、日」の何れかの文字データとともにレシートバッファ に格納する。
【００１５】
ＣＰＵ４ は、キーボード１４ の合計キーが操作入力されると、図５のフロー図に示す売上登録処理を開始する。ＣＰＵ４ は、ＳＴ１０として、合計キーが入力されると、ＲＡＭ６に構成される売上バッファに格納された商品毎の税込み価格を集計した１取引の売上金額と、商品毎の内税額を集計した１取引の内税額とを表示部１５に表示する。また、前記１取引の売上金額と内税額とを、売上ファイル１９に格納する。  次にＳＴ１１ としてこの１取引の売上金額と内税額とを、これらを説明する「合計」及び「内税」の文字とともにレシートバッファ に格納する。
【００１６】
次にＣＰＵ４ は、ＳＴ１２として合計金額に対する支払データが入力されるのを待機する。そして、キーボード２１の置数キー、現計キー、券キー等のキー操作により支払項目と支払金額が入力されたならば、ＣＰＵ４は、ＳＴ１３として、支払い金額の総額から合計金額を減算して釣銭額を算出し、表示部１５に支払金額と釣銭額を表示する。また、ＣＰＵ４は、ＳＴ１４としてと支払金額を、これを示す「預り」の文字とともに、釣銭額を、釣銭を示す「釣銭」の文字データとともにレシートバッファに格納する。しかる後、ＣＰＵ４は、ＳＴ１５としてレシートバッファのデータをプリンタに出力して、レシートを印字発行する。
【００１７】
図７は、レシート印字例である。購入した雑誌毎に、その雑誌の雑誌名と発売日が組みになってレシートに印字される。発売日は、当該雑誌の商品名の次の行に印刷される。また、購入した雑誌の税込金額も、雑誌の雑誌名と発売日と組みになってレシートに印字される。
【００１８】
即ち、以上説明した実施形態によれば、手元にあるレシートに、購入した雑誌の雑誌名に続いて次号発売日が印字されているので、一目で当該雑誌の次号発売日がわかる。
【００１９】
なお、この発明は前記実施形態そのままに限定されるものではなく、実施段階ではその要旨を逸脱しない範囲で構成要素を変形して具体化できる。例えばＰＯＳサーバ２に商品ファイル１８を記憶させることもできる。この場合、ＰＯＳ端末は、定期刊行物コードでＰＯＳサーバに問い合わせを行い、ＰＯＳサーバは定期刊行物コードの商品識別コードであるアイテムコードで商品ファイルを検索して雑誌名と発売日も取得し、ＰＯＳ端末に返信するようにしても良い
【００２０】
また、商品ファイル１８に、雑誌の商品識別コードとなるアイテムコード毎に、その雑誌の商品名、及び本体価格、次号発売日を商品データとして記憶しても良い。この場合、入力されたバーコードを判定して得られた定期刊行物コードに含まれる本体価格は使用せずに、前記商品ファイル１８から、当該商品識別コードによって読み出した本体価格を使用しても良い。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１  ＰＯＳ端末
２  ＰＯＳサーバ
３  ネットワーク
４  ＣＰＵ
５  ＲＯＭ
６  ＲＡＭ
７  ＨＤＤ
８  時計回路
９  通信コントローラー
１４  キーボード
１５  表示部
１６  プリンタ
１７  スキャナ
１８  商品ファイル
１９  売上ファイル
２０  税率ファイル
【図１】
2012068768.tif 000003
【図２】
2012068768.tif 000004
【図３】
2012068768.tif 000005
【図４】
2012068768.tif 000006
【図５】
2012068768.tif 000007
【図６】
2012068768.tif 000008